(57)【要約】【課題】ブリスターパックの開封開始時に、ブリスターパックの本体部（収納凹部）の長手方向に対してシール部材が斜めとなった場合でも、捲り剥がす位置を自動的に軌道修正して容易にシール部材を捲り剥がすことができるブリスターパックを提供する。【解決手段】中央に凹設された長方形状の収納凹部1aと収納凹部1aの周囲に設けられ収納凹部1aの長手方向と平行で左右に形成されているシール部材貼着用平面部1bとから成る本体部１と、少なくとも本体部１の長手方向の一端からはみ出した把持用部分2aを有しシール部材貼着用平面部1bに貼着され収納凹部1a内に収納された収納物を密封し把持用部分2aから捲り剥がすシール部材２とからブリスターパックを構成させ、本体部１の前記一端が収納凹部1aと反対側に向けて頂点を有する凸状に突設すると共に収納凹部1aの長手方向と平行な中心線に対して線対称となるように形成する。【選択図】図１
2014189329.tif 000002
【特許請求の範囲】
【請求項１】
中央に凹設された長方形状の収納凹部(1a)と該収納凹部(1a)の周囲に設けられたシール部材貼着用平面部(1b)とから成り、該シール部材貼着用平面部(1b)が該収納凹部(1a)の長手方向と平行で左右に形成されている本体部(１)と、少なくとも該本体部(１)の長手方向の一端からはみ出した把持用部分(2a)を有し該シール部材貼着用平面部(1b)に貼着され該収納凹部(1a)内に収納された収納物を密封し該把持用部分(2a)から捲り剥がすシール部材(２)とから成るブリスターパックであって、
該本体部(１)の前記一端が、該収納凹部(1a)と反対側に向けて頂点を有する凸状に突設されていると共に該収納凹部(1a)の長手方向と平行な中心線に対して線対称となるように形成されていることを特徴とするブリスターパック。
【請求項２】
本体部(１)のシール部材貼着用平面部(1b)の周囲に、段差部(3a)を介してフランジ部(３)が更に形成されている請求項１に記載のブリスターパック。
【発明の詳細な説明】
【技術分野】
【０００１】
本発明は、容易に開封することが可能なブリスターパックに関するものである。
【背景技術】
【０００２】
プラスチックシートを真空や圧空を用いて熱成形して収納凹部を形成させた本体部と、この本体部の収納凹部を封止するシール部材とからなるブリスターパックは、歯ブラシなどのトイレタリー分野や、ステイプラーなどの文房具分野、ハム・ソーセージなどの食品分野、注射器・注射針のような医療器具分野の包装に広く用いられている。
【０００３】
このようなブリスターパックでは、収納された収納物に対して容易に高い密閉性を確保できると共に、取り出しも容易で非常に扱い易いという利点がある。
【０００４】
しかしながら、高い密閉性を確保するためには、シール部材を収納物が収納される本体部にしっかりと貼着させる必要があり、開封時に大きな力が必要となる場合がある。
【０００５】
このようにしっかりと密閉されている場合、一般にはブリスターパックの本体部（収納凹部）の長手方向に沿って開封される。これは図６(I)の如く、開封の際にシール部材が本体部から捲り剥がされる貼着部分の長さが短いほど、小さな力で容易に開封できるためであり、例えば図６(II)のように本体部の長手方向と直角な方向に向けて開封しようとすると本体部から捲り剥がされる貼着部分の長さが非常に長くなり、開封に大きな力が必要となる。
【０００６】
このような点から、一般にはブリスターパックはその本体部（収納凹部）の長手方向に沿って開封されるが、慎重に開封しないと図７(II)のように斜めになることが多く、大きな力が必要となり、開封に手間取ることも多く、ブリスターパックや収納物を落下させてしまう畏れも多く大きな問題となっている。
【０００７】
このような開封時に大きな力が必要となるという問題に対して、被包装物を収容可能な収容部を有するブリスターケースを具備したブリスターシートと、該ブリスターケースの収容部の開口部分を覆うように前記ブリスターシートに貼着される貼着シートとからなるブリスターパックにおいて、前記ブリスターケースの周囲には、ブリスターシートと貼着シートとをシールする環状シール部が設けられ、該環状シール部の外側には、易剥離領域を隔てて、ブリスターシートと貼着シートとをシールするシール領域が設けられ、該易剥離領域は、前記環状シール部及び前記シール領域におけるブリスターシートと貼着シートとのシール強度よりも弱いシール強度でシールされた弱シール領域、若しくはブリスターシートと貼着シートとがシールされていない非シール領域とされ、且つ前記シール領域には、前記易剥離領域側に向かって前記貼着シートをブリスターシートから剥離する際の開封起点となる開封起点部が設けられ、該開封起点部からシール領域における貼着シートをブリスターシートから剥離する剥離力により、前記易剥離領域を介して前記環状シール部における貼着シートとブリスターシートとのシールを剥離しうるように構成されていることを特徴とするブリスターパックがある（例えば、特許文献１参照。）。
【０００８】
このブリスターパックでは、シール強度が弱いか若しくはシールされていない易剥離領域を設けることで、開封が容易にできることが特徴となっているが、この易剥離領域によって、高い密閉性を確保することが難しくなったり、また構造も複雑でこの易剥離領域へはブリスターパック内に形成された開封起点部から開封する必要があり、非常に使い勝手が悪いという問題がある。
【先行技術文献】
【特許文献】
【０００９】
【特許文献１】特開２０１１−１４８５２５号公報
【発明の概要】
【発明が解決しようとする課題】
【００１０】
本発明は前記の問題に鑑み、ブリスターパックの開封開始時に、ブリスターパックの本体部（収納凹部）の長手方向に対してシール部材が斜めとなった場合でも、捲り剥がす位置を自動的に軌道修正して容易にシール部材を捲り剥がすことができるブリスターパックを提供することを課題とする。
【課題を解決するための手段】
【００１１】
本発明者は前記課題を解決すべく鋭意検討した結果、ブリスターパックを、中央に凹設された長方形状の収納凹部と収納凹部の周囲に設けられたシール部材貼着用平面部とから成り、シール部材貼着用平面部が収納凹部の長手方向と平行で左右に形成されている本体部と、少なくとも本体部の長手方向の一端からはみ出した把持用部分を有しシール部材貼着用平面部に貼着され収納凹部内に収納された収納物を密封し把持用部分から捲り剥がすシール部材とから構成させ、本体部の前記一端を、収納凹部と反対側に向けて頂点を有する凸状に突設させると共に収納凹部の長手方向と平行な中心線に対して線対称となるように形成させれば、ブリスターパックの開封開始時に、シール部材が斜めに捲られそうになっても、使用者の意識の有無に関わらず、シール部材が本体部の一端の頂点を中心として回転して、ブリスターパックの本体部（収納凹部）の長手方向に沿って捲れ上がるように自動的に軌道修正されるから、シール部材が斜めに捲れて大きな力が必要となることがなく、また捲るに従ってシール部材が貼着されていない収納凹部にさしかかり貼着部分が短くなるので捲るのに大きな力が必要とならないから、捲り始めの一端において捲る方向を軌道修正するだけで容易にシール部材を捲り剥がすことができることを究明して本発明を完成させたのである。
【００１２】
即ち本発明は、中央に凹設された収納凹部と収納凹部の周囲に設けられたシール部材貼着用平面部とから成り、シール部材貼着用平面部が長方形状の収納凹部の長手方向と平行で左右に形成されている本体部と、少なくとも本体部の長手方向の一端からはみ出した把持用部分を有しシール部材貼着用平面部に貼着され収納凹部内に収納された収納物を密封し把持用部分から捲り剥がすシール部材とから成るブリスターパックであって、
本体部の前記一端が、収納凹部と反対側に向けて頂点を有する凸状に突設されていると共に収納凹部の長手方向と平行な中心線に対して線対称となるように形成されていることを特徴とするブリスターパックである。
【００１３】
また本体部のシール部材貼着用平面部の周囲に、段差部を介してフランジ部が更に形成されていれば、フランジ部によってブリスターパックの強度や剛性を高めることができると共に、本体部の長手方向の一端において、フランジ部とシール部材の把持用部分の一部とが重なり、シール部材が誤って捲られることを防止することができて好ましいのである。
【発明の効果】
【００１４】
本発明に係るブリスターパックは、中央に凹設された長方形状の収納凹部とこの収納凹部の周囲に設けられたシール部材貼着用平面部とから成り、シール部材貼着用平面部が収納凹部の長手方向と平行で左右に形成されている本体部と、少なくとも本体部の長手方向の一端からはみ出した把持用部分を有しシール部材貼着用平面部に貼着され収納凹部内に収納された収納物を密封し把持用部分から捲り剥がすシール部材とから成るブリスターパックであって、
本体部の前記長手方向の一端が、収納凹部と反対側に向けて頂点を有する凸状に突設されていると共に収納凹部の長手方向と平行な中心線に対して線対称となるように形成されているから、ブリスターパックの開封開始時に、シール部材が斜めに捲られそうになっても、使用者の意識の有無に関わらず、シール部材が本体部の一端の頂点を中心として回転して、ブリスターパックの本体部（収納凹部）の長手方向に沿って捲れ上がるように自動的に軌道修正されるから、シール部材が斜めに捲れて大きな力が必要となることがなく、また捲るに従ってシール部材が貼着されていない収納凹部にさしかかり貼着部分が短くなるので捲るのに大きな力が必要とならないから、捲り始めの一端において捲る方向を軌道修正するだけで容易にシール部材を捲り剥がすことができ、更に接着力を場所によって変更するなどの必要もないので、容易に製造できるのである。
【００１５】
また本体部のシール部材貼着用平面部の周囲に、段差部を介してフランジ部が更に形成されている態様では、フランジ部によってブリスターパックの強度や剛性を高めることができると共に、本体部の一端において、フランジ部とシール部材の把持用部分の一部とが重なり、シール部材が誤って捲られることを防止することができて好ましいのである。
【図面の簡単な説明】
【００１６】
【図１】本発明に係るブリスターパックの一実施例を示す正面図である。
【図２】図１に係るブリスターパックにおいてシール部材を捲り剥がす様子を示す説明図である。
【図３】本発明に係るブリスターパックの他の実施例を示す正面図である。
【図４】図３のブリスターパックの左側面図である。
【図５】本発明に係るブリスターパックの更に他の実施例を示す正面図である。
【図６】従来からあるブリスターパックにおいてシール部材を捲り剥がす方向による差異を示す説明図である。
【図７】従来からあるブリスターパックにおいてシール部材を長手方向に向けて捲り剥がす時に、斜めになった場合との差異を示す説明図である。
【発明を実施するための形態】
【００１７】
以下、図面を用いて本発明に係るブリスターパックについて詳細に説明する。
【００１８】
１は中央に凹設された長方形状の収納凹部1aと収納凹部1aの周囲に設けられたシール部材貼着用平面部1bとから成り、シール部材貼着用平面部1bが収納凹部1aの長手方向と平行で左右に形成されている本体部である。本発明での長方形状とは、横幅に対してより長い縦幅を有する形状を広く意味しており、図示した各実施例のように各角部が円弧状を成したものや楕円形状のようなものも含んでいる。
このとき、本体部１のシール部材貼着用平面部1bは、収納凹部1aの長手方向と平行で左右対称に形成されていることが好ましい。このように本体部１のシール部材貼着用平面部1bが、収納凹部1aの長手方向と平行で左右対称に形成されていれば、貼着された後述するシール部材２を本体部１（収納凹部1a）の長手方向に沿って捲り剥がす際に、左右均等な力がかかり、長手方向に対して斜めになり難いのである。
【００１９】
また本体部１の長手方向の一端は、収納凹部1aと反対側に向けて頂点を有する凸状に突設されていると共に収納凹部1aの長手方向と平行な中心線に対して線対称となるように形成されているから、ブリスターパックの開封開始時に、シール部材２が斜めに捲られそうになっても（図２(I)）、使用者の意識の有無に関わらず、シール部材２が本体部１の前記長手方向の一端の頂点を中心として回転して（図２(II)，(III)）、ブリスターパックの本体部１（収納凹部1a）の長手方向に沿って捲れ上がるように自動的に軌道修正されるのである（図２(IV)）。
【００２０】
２は少なくとも本体部１の前記長手方向の一端からはみ出した把持用部分2aを有しシール部材貼着用平面部1bに貼着され収納凹部1a内に収納された収納物を密封し把持用部分2aから捲り剥がすシール部材である。
【００２１】
３は本体部１のシール部材貼着用平面部1bの周囲に、段差部3aを介して形成されているフランジ部３である。
【００２２】
このような本発明に係るブリスターパックの具体的な構成を更に詳述すれば、先ず本体部１の長手方向の一端は、図１，３，５のように収納凹部1aと反対側に向けて頂点を有する凸状に突設されていると共に、収納凹部1a（本体部１）の長手方向と平行な中心線（図３，５参照。図１図示なし。）に対して線対称となるように形成されている。
【００２３】
このように中心線に対して線対称に形成されていることにより、ブリスターパックの開封開始時に、シール部材２が斜めに捲られそうになっても、シール部材２が本体部１の長手方向の一端の頂点を中心として回転して、ブリスターパックの本体部１（収納凹部1a）の長手方向に沿って捲れ上がるように自動的に軌道修正されるのである。
【００２４】
即ち捲り始めに、シール部材２を回転可能な頂点に当接させることで、貼着部分の長さが最も短くなって最も力のいらない状態、即ちブリスターパックの本体部１（収納凹部1a）の長手方向に沿った方向に、自然にシール部材２の向きが軌道修正されるので、これにより使用者がシール部材２の向きを強く意識しなくとも、シール部材２をブリスターパックの本体部１（収納凹部1a）の長手方向に沿って捲ることが非常に簡便にできるのである。
【００２５】
また収納凹部1a（本体部１）の長手方向と平行な中心線に対して線対称となっていればよいことから、図５のように複数の凸状部が突設されている態様であってもよい。
【００２６】
更に図３及び４の如く、本体部１のシール部材貼着用平面部1bの周囲に、段差部3aを介して形成されているフランジ部３を設ける態様では、本体部１と一体に成型することで、より簡便に製造できると共にブリスターパックの強度や剛性を高めることができるのである。また図４のとおり、本体部１の一端において、フランジ部３とシール部材２の把持用部分2aの一部とが重なり、シール部材２が誤って捲られることを防止することができ、更に段差部3aによって、シール部材２とフランジ部３との間に僅かな隙間ができて密着することがないので、シール部材２の把持用部分2aを掴み易く、使い勝手がよいのである。
【符号の説明】
【００２７】
１  本体部
1a  収納凹部
1b  シール部材貼着用平面部
２  シール部材
2a  把持用部分
３  フランジ部
3a  段差部
【図１】
2014189329.tif 000003
【図２】
2014189329.tif 000004
【図３】
2014189329.tif 000005
【図４】
2014189329.tif 000006
【図５】
2014189329.tif 000007
【図６】
2014189329.tif 000008
【図７】
2014189329.tif 000009